(57)【要約】【課題】従来から絵画制作時には、絵の具や筆、パレットなど、頻繁に使用する画材道具の置き場をいかに確保するかが問題であった。それらを床に置いた場合、頻繁に腰をかがめるのは重労働であるため、多くの場合、適当な作業台になるものを用意することになる。例えば、空いている椅子や、移動式のワゴンやキャビネットなどを脇に置き、それらに画材道具を置くことで用を足してきた。【解決手段】市販のデッサン用イーゼルの前面の任意の高さに取り付けられ、かつテーブル部が水平となるように調節できる構造を持った作業用テーブルを提供する。【選択図】図１
2008142149.tif 000002
【特許請求の範囲】
【請求項１】
（イ）イーゼルに着脱可能なイーゼル用テーブルであって、物を載せるためのテーブル部と、テーブル部の一辺に回転機構を介して接続され、前記イーゼル前脚の所定の位置に固定可能な固定部を備える。
（ロ）前記テーブル部は、一部を前記イーゼル前脚に当接することにより前記テーブル部を所定の状態に支持するための支持部を備える。
（ハ）前記固定部と、前記支持部の前記イーゼルへの当接部は、双方の間隔を所定の距離に規制する規制部を備える。
以上のごとく構成されたイーゼル用テーブル。
【発明の詳細な説明】
【技術分野】
【０００１】
この発明は、イーゼルに取り付けるテーブルに関する。
【背景技術】
【０００２】
従来から絵画制作時には、絵の具や筆、パレットなど、頻繁に使用する画材道具の置き場をいかに確保するかが問題であった。それらを床に置いた場合、頻繁に腰をかがめるのは重労働であるため、多くの場合、適当な作業台になるものを用意することになる。例えば、空いている椅子や、移動式のワゴンやキャビネットなどを脇に置き、それらに画材道具を置くことで用を足してきた。
【０００３】
あるいは、野外用イーゼルにテーブルを取り付ける試みがいくつかなされてきた。
【特許文献１】特開２００２−３４６９３公報
【特許文献２】実登３０３７６４７公報
【特許文献３】実開平０６−１７８号公報
【特許文献４】実開昭５６−１２０２９９号公報
【発明の開示】
【発明が解決しようとする課題】
【０００４】
しかしながら、以上の技術によれば、椅子や移動式のワゴンやキャビネットを美術大学や絵画教室といった場所で使用するには人数分の数量が必要となり、制作中、収納時ともに場所をとり、邪魔である。
【０００５】
また、椅子やワゴンやキャビネットは使用者の脇に置いて使用することが多く、イーゼル上の画面に向き合ったまま作業ができないため、非効率的であった。
【０００６】
また、ディスプレイ用イーゼルなど市販製品のなかには、イーゼルの前脚と後脚の間にサンプル台が設置されているものもあるが、使用者の手元から遠く、高さ調節ができないことから作業台としての機能はよくなかった。テーブルは制作中の画面の真下で、手がすぐ届くところにあることが望ましい。
【０００７】
野外用イーゼルに取り付けるテーブルに関する試みに関して、イーゼルへの取り付け方式が野外用イーゼルを前提としているが、美術大学や絵画教室においては、華奢で安定感に欠ける野外用イーゼルの使用はまれである。さらにそれらの試みの多くは、使用時のテーブルの角度調節ができない、また、取り付けたままの収納は考慮されていないなど、教室等での不特定多数による恒常的使用よりは個人による野外での臨時的使用を想定されている。
【０００８】
そこで、この発明は、美術大学や絵画教室、また個人のアトリエに広く普及している種々のデッサン用イーゼルに着脱可能な作業用テーブルを提供することで、絵画制作の効率化をはかり、制作中および収納時も場所をとらずに使用できることを課題とする。
【課題を解決するための手段】
【０００９】
上記の課題を解決するために、
（イ）イーゼルに着脱可能なイーゼル用テーブルであって、物を載せるためのテーブル部
と、テーブル部の一辺に回転機構を介して接続され、前記イーゼル前脚の所定の位置に固定可能な固定部を備える。
（ロ）前記テーブル部は、一部を前記イーゼル前脚に当接することにより前記テーブル部を所定の状態に支持するための支持部を備える。
（ハ）前記固定部と、前記支持部の前記イーゼルへの当接部は、双方の間隔を所定の距離に規制する規制部を備える。
以上のごとく構成されたイーゼル用テーブルを提供する。
【発明の効果】
【００１０】
デッサン用イーゼルにテーブルを付けたので、絵画制作時に筆やパレット等の物を載せることができ、疲労を防ぐことができる。
【００１１】
デッサン用イーゼルは製品によって、２本の前脚（１）の間隔や、後方への傾斜度が異なるのが普通である。本発明によるテーブルは、前脚（１）の間隔が異なるイーゼルに対して、任意の高さに取り付けできる。
【００１２】
また、前脚（１）の後方への傾斜度が異なるイーゼルに対し、テーブル部（１０）を水平に調節できる。あるいは、使用者の必要によっては規制部の許す調節範囲内でテーブル部（１０）を任意の角度に調節できる。
【００１３】
上記により、使用者の使い勝手のよい状態にテーブルを設置でき、イーゼル上の画面に向き合ったまま効率よく作業を進めることができる。これは椅子やワゴンなどを脇に置いて作業するよりも、手や視線の移動が少なくて済み、遥かに快適である。
【００１４】
また、邪魔になりがちであった作業台代わりの椅子やワゴンなどが不要となるため、室内がすっきりするという空間上および美観上のメリットがある。
【００１５】
本発明のテーブルはイーゼルに取り付けたまま、折り畳んで収納できるので、使用するたびに脱着する手間が不要となる。また、教室などではイーゼルを折り畳んだ状態で立てかけて収納することが多いが、図３に示すように、本発明のテーブルが収納時に占有するスペースはわずかである。
【発明を実施するための最良の形態】
【００１６】
図１にこの発明の一実施形態を示す。本発明のテーブルを市販のデッサン用イーゼルに取り付けた例である。
【００１７】
本実施形態では固定部を一組の板（１１a、１１b）とし、それらに長穴加工（１２）を施し、固定ボルト（１３）にてイーゼルの前脚（１）を挟み込む形態とした。固定部（１１a）とテーブル部（１０）をつなぐ回転機構としてちょう板（１４）を使用する。
【００１８】
また、支持部を２本の方づえ材（１５）と１本の横架材（１６）を組み合わせたものとし、テーブル部（１０）裏側のフレーム材（２０）にジョイントボルト（２１）にて回転できるように取り付けた。
【００１９】
また、規制部をチェーン（１７）とし、固定部（１１a）と支持部横架材（１６）に設けたフック（１８、１９）の間を結ぶものとする。
【００２０】
次に本実施形態の使用方法を説明する。固定部（１１a、１１b）はイーゼル前面の任意の高さで、イーゼルの前脚（１）と干渉しないよう長穴（１２）中の位置をねらい、固定ボルト（１３）によってイーゼルの前脚（１）を挟んで固定される。
【００２１】
イーゼルの型によっては、差し込みピン（４）用のピン穴（３）が開いているものがある。この場合はピン穴（３）に固定ボルト（１３）を通して固定しても良い。この場合、固定部（１１b）は使用しなくても良い。
【００２２】
次に、図２に示すように、テーブル部（１０）が水平になるような角度で支持部横架材（１６）をイーゼルの前脚（１）に当接し、チェーン（１７）をフック（１８、１９）に掛ける。フック（１８、１９）間のチェーン（１７）の長さを調節することでテーブル部（１０）の角度を微調整する。
【００２３】
図３は、イーゼルおよびテーブル収納時を側面から見たもので、イーゼル収納時はチェーン（１７）を外すことで、テーブル部（１０）は下方に折り畳まれる。
【００２４】
「他の実施形態１」
なお、チェーン（１７）は必要な張力に耐え、固定部（１１a）と支持部横架材（１６）の間を任意の距離で規制できるよう加工されたものならば素材や形状は何でもよく、例えば、化繊のベルト状のものでも良い。
【００２５】
「他の実施形態２」
同様に、支持部方づえ材（１５）支持部横架材（１６）も、必要な圧縮力に耐えるものであれば図中の形状にこだわらず、例えば、一枚の板状のものでもかまわない。
【００２６】
「他の実施形態３」
図６の実施形態では、チェーンでテーブル部（１０）の角度を調整する代わりに、テーブル部（１０）裏面のフレーム材（２０）に長穴（２２）を施し、ジョイントボルト（２１）の軸をスライドさせることでテーブル部（１０）の角度を調整する例である。
【００２７】
「他の実施形態４」
図７の実施形態は、イーゼルとテーブルを一体製品として提供する例である。固定部（１１ｃ）と支持部受け（８）はイーゼルの前脚（１ａ）に設けたスライド溝（７）の任意の位置に固定できる。支持部横架材（１６）を支持部受け（８）にて受け、テーブル部（１０）を所定の状態に保つ。この場合イーゼル前脚（１ａ）が規制部の役割を受け持つ。
【図面の簡単な説明】
【００２８】
【図１】この発明の実施形態を示す斜視図である。
【図２】同側面図である。
【図３】同テーブル収納時を示す側面図である。
【図４】この発明の実施形態を示すテーブルの平面図である。
【図５】同テーブルを裏側から見た平面図である。
【図６】この発明の他の実施形態を示す側面図である。
【図７】この発明の他の実施形態を示す斜視図である。
【符号の説明】
【００２９】
１  １ａ  イーゼル前脚  ２  イーゼル後脚  ３  ピン穴  ４  差し込みピン
５  キャンバス受け台  ６  キャンバス  ７  スライド溝  ８  支持部受け
１０  テーブル部  １１ａ  １１ｂ  １１ｃ  固定部  １２  長穴  
１３  １３ａ  固定ボルト  １４  ちょう板  １５  支持部方づえ材  
１６  支持部横架材  １７  チェーン  １８  フック  １９  フック  
２０  フレーム材  ２１  ジョイントボルト  ２２  長穴
【図１】
2008142149.tif 000003
【図２】
2008142149.tif 000004
【図３】
2008142149.tif 000005
【図４】
2008142149.tif 000006
【図５】
2008142149.tif 000007
【図６】
2008142149.tif 000008
【図７】
2008142149.tif 000009